(57)【要約】【課題】  表示メモリ性を有する情報表示用パネルに追記されて表示された書込情報を正確に読み取ってデータとして記録する書込情報記録方法を提供する。【解決手段】  表示メモリ性を有する情報表示装置１１の表示面のタッチパネル１３によって検出された位置に追記されて表示された書込情報を読み取って記録する際には、書込情報を表示している状態の情報表示装置１１の全ての画素に同一色情報（例えば黒情報）を書き込む書込工程と、前記書込工程の実施により各画素に注入された電荷量に基づいて前記書込情報に対応するデータを読み出す読出工程と、読み出したデータを前記書込情報としてパソコン等の記録手段に記録する記録工程とを行う。【選択図】図３
2007322658.tif 000002
【特許請求の範囲】
【請求項１】
表示メモリ性を有する情報表示用パネルに追記されて表示された書込情報を読み取って記録する書込情報記録方法であって、
書込情報を表示している状態の前記情報表示用パネルの全ての画素に同一色情報を書き込む書込工程と、
前記書込工程の実施により各画素に注入された電荷量に基づいて前記書込情報を読み出す読出工程と、
読み出したデータを前記書込情報として記録手段に記録する記録工程と、
を行うことを特徴とする書込情報記録方法。
【請求項２】
表示メモリ性を有する情報表示用パネルに一体的に結合されたタッチパネルを介することによって追記されて表示された書込情報を読み取って記録する書込情報記録方法であって、
書込情報を表示している状態の前記情報表示用パネルの全ての画素に同一色情報を書き込む書込工程と、
前記書込工程の実施により各画素に注入された電荷量に基づいて前記書込情報を読み出す読出工程と、
読み出したデータを前記書込情報として記録手段に記録する記録工程と、
を行うことを特徴とする書込情報記録方法。
【請求項３】
前記同一色情報は、第１の帯電量に対応する色情報または前記第１の帯電量と異なる第２の帯電量に対応する色情報であることを特徴とする請求項１または２に記載の書込情報記録方法。
【発明の詳細な説明】
【技術分野】
【０００１】
本発明は、表示メモリ性を有する情報表示用パネルに追記されて表示された書込情報を読み取ってデータとして記録する書込情報記録方法に関するものである。
【背景技術】
【０００２】
情報表示用パネルに表示されている情報をデータとして記録する方法の従来技術としては、光学式スキャナーを用いて情報表示用パネルの表示面に表示されている情報を画像として取り込む方法がある。
【発明の開示】
【発明が解決しようとする課題】
【０００３】
例えば大型のフラットヘッド型光学式スキャナーや小型のハンディ型光学式スキャナーを用いて情報表示用パネルの表示面に表示されている情報を画像として取り込む場合、情報表示用パネルの表示面に対してスキャニング用の光源や光検出器を適切な位置関係になるように配置した状態で情報表示用パネルの表示面に表示されている情報を取り込むことになるが、情報表示用パネルの表示面は一般的に透明基板で覆われているため、取り込み時にスキャニング用の光源から出射した光の大部分が情報表示用パネルの透明基板で反射されてしまい、取り込んだ画像は白潰れした画像となるので、情報表示用パネルの表示面に表示されている情報を正確に取り込むことは著しく困難である。
【０００４】
本発明は、表示メモリ性を有する情報表示用パネルに追記されて表示された書込情報を正確に読み取ってデータとして記録する書込情報記録方法を提供することを目的とする。
【課題を解決するための手段】
【０００５】
上記目的を達成するため、第１発明の書込情報記録方法は、表示メモリ性を有する情報表示用パネルに追記されて表示された書込情報を読み取って記録する書込情報記録方法であって、書込情報を表示している状態の前記情報表示用パネルの全ての画素に同一色情報を書き込む書込工程と、前記書込工程の実施により各画素に注入された電荷量に基づいて前記書込情報を読み出す読出工程と、読み出したデータを前記書込情報として記録手段に記録する記録工程と、を行うことを特徴とする。
【０００６】
上記目的を達成するため、第２発明の書込情報記録方法は、表示メモリ性を有する情報表示用パネルに一体的に結合されたタッチパネルを介することによって追記されて表示された書込情報を読み取って記録する書込情報記録方法であって、書込情報を表示している状態の前記情報表示用パネルの全ての画素に同一色情報を書き込む書込工程と、前記書込工程の実施により各画素に注入された電荷量に基づいて前記書込情報を読み出す読出工程と、読み出したデータを前記書込情報として記録手段に記録する記録工程と、を行うことを特徴とする。
【０００７】
本発明の書込情報記録方法の好適例としては、前記同一色情報は、第１の帯電量に対応する色情報または前記第１の帯電量と異なる第２の帯電量に対応する色情報であること、がある。
【発明の効果】
【０００８】
上記構成の第１発明の書込情報記録方法によれば、表示メモリ性を有する情報表示用パネルに追記されて表示された書込情報を読み取って記録する際には、書込工程において、書込情報を表示している状態の前記情報表示用パネルの全ての画素に同一色情報を書き込み、読出工程において、前記書込工程の実施により各画素に注入された電荷量に基づいて前記書込情報を読み出し、記録工程において、読み出したデータを前記書込情報として記録手段に記録するから、表示メモリ性を有する情報表示用パネルに追記されて表示された書込情報を正確に読み取ってデータとして記録する書込情報記録方法を提供することができる。
【０００９】
上記構成の第２発明の書込情報記録方法によれば、表示メモリ性を有する情報表示用パネルに一体的に結合されたタッチパネルを介することによって追記されて表示された書込情報を読み取って記録する際には、書込工程において、書込情報を表示している状態の前記情報表示用パネルの全ての画素に同一色情報を書き込み、読出工程において、前記書込工程の実施により各画素に注入された電荷量に基づいて前記書込情報を読み出し、記録工程において、読み出したデータを前記書込情報として記録手段に記録するから、表示メモリ性を有する情報表示用パネルに追記されて表示された書込情報を正確に読み取ってデータとして記録する書込情報記録方法を提供することができる。
【発明を実施するための最良の形態】
【００１０】
以下、本発明を実施するための最良の形態を図面に基づき詳細に説明する。
【００１１】
図１は本発明の書込情報記録方法の実施に用いる情報表示装置の構成を例示する図である。この情報表示装置１１は、例えばタッチパネル一体型情報表示装置として構成されており、情報を表示する情報表示用パネル１２と、書込情報を追記して表示する位置の位置情報を得るタッチパネル１３とを備え、情報表示用パネル１２の前面にタッチパネル１３が一体配置されている。
上記情報表示用パネル１２としては、少なくとも一方が透明な対向する２枚の基板の間に、帯電性を有する表示用有色粒子から成る表示媒体を封入し、基板内に発生させた電界により表示媒体を移動させて画像等の情報を表示するようにした、後述する走査電極毎に順次アドレスされるパッシブ駆動もしくはアクティブ駆動される帯電粒子駆動型の情報表示用パネルを用いる。上記タッチパネル１３としては、位置検出機能を有する光透過性を有するものを用いることができ、電磁授受方式のタッチパネル、抵抗膜方式のタッチパネル、ドットスペーサ方式のタッチパネル、静電容量方式のタッチパネル等を用いることができる。
なお、本発明の書込情報記録方法は、表示用駆動装置による駆動以外の方法（例えばタッチパネルによる駆動や、外部電界による駆動）で書き込まれた表示情報を記録する方法であり、タッチパネル一体型情報表示装置であっても適用できるものである。
【００１２】
次に、上記情報表示装置で用いる帯電粒子駆動型の情報表示用パネルの構成の一例について説明する。この帯電粒子駆動型の情報表示用パネルは、それぞれ異なる帯電特性を有する２色の表示用有色粒子で構成される２色の表示媒体を、少なくとも一方が透明な基板間の隔壁によって仕切られた複数のセル内に封入する構造を有している。２枚の基板間に封入した表示媒体に電界が付与されると、付与された電界方向に沿って、帯電した表示媒体が電界による力やクーロン力などによって引き寄せられ、表示媒体が電界方向の変化によって移動方向を変えることにより、情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１３】
上記情報表示用パネルの原理的構成を図２（ａ），（ｂ）および図３に基づき説明する。
図２（ａ）に示す例では、少なくとも１種以上の粒子から構成される光学的反射率および帯電特性の異なる少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図２（ａ）に示す例では、基板１、２の間に例えば格子状に隔壁４を設けセルを形成している。また、図２（ａ）において、手前にある隔壁は省略している。電極は、基板の外側に設けても、基板内部に埋め込むように設けてもよい。
図２（ｂ）に示す例では、少なくとも１種以上の粒子から構成される光学的反射率および帯電性を有する１種の表示媒体３（ここでは白色表示媒体用粒子３Ｗａの粒子群からなる白色表示媒体３Ｗを示す）を、基板１に設けた電極５と基板２に設けた電極６との間に電圧を印加することにより発生する電界に応じて、基板１、２と平行方向に移動させ、白色表示媒体３Ｗを観察者に視認させて白色の表示を行うか、あるいは、電極６または基板１の色を観察者に視認させて電極６または基板１の色の表示を行っている。なお、図２（ｂ）に示す例では、基板１、２の間に例えば格子状の隔壁４を設けセルを形成している。また、図２（ｂ）において、手前にある隔壁は省略している。基板の電極は、基板の外側に設けても、基板内部に埋め込むように設けてもよい。
以上の説明は、粒子群からなる白色表示媒体３Ｗを粉流体からなる白色表示媒体に、粒子群からなる黒色表示媒体３Ｂを粉流体からなる黒色表示媒体に、それぞれ置き換えた場合も同様に適用することができる。粉流体については後述する。
【００１４】
次に、本発明の書込情報記録方法を図３（ａ）〜（ｃ）に基づいて説明する。なお、図３（ａ），（ｂ）は、情報表示装置１１の表示面の５画素×５画素の部分の画像状態（白または黒）を示しており、図３（ｃ）は、情報表示装置１１の表示面の５×５画素の部分に対応する、読み出したデータを示している。
【００１５】
例えば図３（ａ）に示す画像が表示メモリ性を有する情報表示装置１１の表示面の５画素×５画素の部分に表示されている画像であり、この画像が情報表示装置１１の表示面のタッチパネル１３によって得られた位置情報の表示位置に追記された書込情報である場合、まず、図３（ｂ）に示すように、５画素×５画素の全ての画素に、同一色情報である第１の帯電量に対応する色情報として、黒情報を１画素ずつ書き込む書込工程を行う。次に、上記書込工程の実施により各画素に注入された電荷量に基づいて、図３（ｃ）に示すように、５×５画素の各画素に対応するデータである前記書込情報を読み出す読出工程を行う。その際の読み出しルールは、「書込前が黒で書込後が黒ならば、データ＝０」、「書込前が白で書込後が黒ならば、データ＝１」というルールを用いる。このようにして読み出した図３（ｃ）に示すデータは、図３（ａ）に示す書込情報と１対１で対応するデータであるので、上記読出工程で読み出したデータは、記録工程において前記書込情報として記録手段（例えばパソコン）に記録しておくことができる。
【００１６】
なお、例えば図３（ａ）に示す画像が情報表示装置１１の表示面の５画素×５画素の部分に表示されている画像であり、この画像が、情報表示装置１１の表示面に表示されている書換情報と、書換情報を表示している情報表示装置１１の表示面のタッチパネル１３によって得られた位置情報の表示位置に追記された書込情報とから成る複合情報である場合、上記と同様にして読出工程で読み出したデータから、予め分かっている書換情報を取り除くことにより、書込情報のみを抽出することができる。
また、上述した例では、全ての画素に同一色情報である第１の帯電量に対応する色情報として黒情報を１画素ずつ書き込む書込工程を行うようにしたが、全ての画素に同一色情報である上記第１の帯電量と異なる第２の帯電量に対応する色情報として白情報を１画素ずつ書き込む書込工程を行うようにしてもよい。また、上述した例では、情報表示装置１１の表示面に黒および白を用いて情報を表示する方式において黒情報または白情報を書き込むようにしているが、これに限定されるものではなく、例えば情報表示装置１１の表示面に赤および黄を用いて情報を表示する方式において赤情報または黄情報を書き込むようにしてもよい。
また、上述した例では、情報表示装置１１の表示面のタッチパネル１３によって得られた位置情報の表示位置に追記された書込情報を読み出しているが、これに限定されるものではなく、例えばタブレットおよびペンを用いて情報表示装置１１の表示面に追記された書込情報などの「位置情報を使用しないで情報表示装置１１の表示面に直接書き込まれた情報」を読み出す場合も、上記と同様にして行うことができる。
【００１７】
本発明の書込情報記録方法によれば、表示メモリ性を有する情報表示装置１１の表示面のタッチパネル１３によって得られた位置情報の表示位置に追記されて表示された書込情報を読み取って記録する際には、書込工程において、書込情報を表示している状態の情報表示装置１１の全ての画素に同一色情報（この例では黒情報）を書き込み、読出工程において、前記書込工程の実施により各画素に注入された電荷量に基づいて前記書込情報に対応するデータを読み出し、記録工程において、読み出したデータを前記書込情報としてパソコン等の記録手段に記録するから、表示メモリ性を有する情報表示装置１１に追記されて表示された書込情報を正確に読み取ってデータとして記録する書込情報記録方法を提供することができる。
これにより、従来は取り込むことが著しく困難であった「手書きにより追記された書込情報」を、データ化してパソコン等に記録（保存）することが実現できるようになる。
具体的な例としては、本発明の書込情報記録方法に好適に用いることができる「表示メモリ性を有する情報表示装置１１」において、情報表示装置１１の情報表示用駆動装置を介さずに、磁石や外部電場を用いて直接的に情報表示装置１１の表示面に画像等の情報を表示する場合や、情報表示装置１１の表示面に直接的に高電圧を印加して情報を画像等の表示する場合には、部分書換等によって表示する情報（例えば画像データ）の一部のみが変化していき、情報表示装置１１の情報表示用駆動装置内に上記情報（例えば画像データ）のデータベースが構築されていないため、情報表示装置１１の表示面全体における表示状態を情報表示装置１１の情報表示用駆動装置が把握していないので、そのような場合の書込情報に対応するデータの読み出しに特に有効である。つまり、本発明の書込情報記録方法は、パッシブ駆動もしくはアクティブ駆動を用いる代わりに磁石や外部電場等を用いて、情報表示装置１１の表示面に直接的に情報を書き込んだ場合の最終的な表示状態をデータ化して取り出すことができるという顕著な特徴を有している。
【００１８】
なお、本発明の書込情報記録方法に好適に用いることができる情報表示用パネル１２としては、図４（ａ）に示す「帯電粒子気中駆動型情報表示用パネル（透明基板側の透明ライン電極６＋ライン電極５）」、図４（ｂ）に示す「帯電粒子気中駆動型情報表示用パネル（透明基板側の透明個別電極６＋個別電極５）」、図５（ａ）に示す「帯電粒子絶縁性液中駆動型情報表示用パネル（透明基板側の透明個別電極６＋個別電極５）」、図５（ｂ）に示す「帯電粒子絶縁性液中駆動型情報表示用パネル（透明基板側の透明ライン電極６＋ライン電極５）」、図６（ａ）に示す「黒色板および白色帯電粒子の組み合わせによる帯電粒子気中駆動型情報表示用パネル（透明基板２＋基板１側の電極５、透明電極６、黒色板１４）」、図６（ｂ）に示す「白色板および黒色帯電粒子の組み合わせによる帯電粒子気中駆動型情報表示用パネル（透明基板２＋基板１側の電極５、透明電極６、白色板１５）」などがある。
【００１９】
以下、本発明方法の実施に用いる情報表示用パネルを構成する各部材について説明する。
【００２０】
基板については、表示面側基板はパネル外側から表示媒体の色が確認できる透明な基板であり、可視光の透過率が高くかつ耐熱性の良い材料が好適である。背面側基板は透明でも不透明でもかまわない。上記基板としては、ガラスやセラミックス等の無機系基板や、ポリエチレンテレフタレート（ＰＥＴ）、ポリエチレンテレナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系基板を用いることが可能である。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２１】
基板に設ける電極の電極形成材料としては、アルミニウム、銀、ニッケル、銅、金等の金属類や酸化インジウム錫（ＩＴＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した表示面側基板に設ける電極と同様であるが、透明である必要はない。なお、この場合の外部電圧入力は、直流あるいは交流を重畳しても良い。
【００２２】
基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図７に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示状態の鮮明さが増す。
ここで、隔壁の形成方法を例示すると、金型転写法、スクリーン印刷法、サンドブラスト法、フォトリソ法、アディティブ法が挙げられる。いずれの方法も本発明方法の実施に用いる情報表示装置に搭載する情報表示用パネルに好適に用いることができるが、これらのうち、レジストフィルムを用いるフォトリソ法や金型転写法が好適に用いられる。
【００２３】
次に、本発明で表示媒体として例えば用いる粉流体について説明する。なお、本発明で用いる粉流体の名称については、本出願人が「電子粉流体（登録商標）：登録番号4636931 」の権利を得ている。
【００２４】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００２５】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明で固体状物質を分散質とするものである。
【００２６】
本発明で用いる情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、小さな電界の力等でクーロン力などにより容易に安定して移動させることができる。
本発明に用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、情報表示用パネルでは、気体中に固体状の物質が分散質として比較的安定に浮遊する状態で表示媒体として用いられる。
【００２７】
次に、上記情報表示用パネルにおいて表示媒体を構成する表示用有色粒子（以下、粒子ともいう）について説明する。表示用有色粒子は、そのまま該表示用有色粒子だけで構成して表示媒体としたり、その他の粒子と合わせて構成して表示媒体としたり、粉流体となるように調整、構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００２８】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００２９】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３０】
着色剤としては、以下に例示するような、有機または無機の各種、各色の顔料、染料が使用可能である。
【００３１】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３２】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３３】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３４】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。その他、上記した添加剤を複数組合せて本発明で用いる表示媒体を構成する表示用白色粒子や表示用黒色粒子を作製することができる。このうち、表示用白色粒子には酸化チタンなどの白色顔料を用いることが好ましく、表示用黒色粒子にはカーボンブラックなどの黒色顔料を用いることが好ましい。
上記着色剤を配合して所望の色の表示用有色粒子を作製できる。
【００３５】
また、上記情報表示用パネルで用いる表示用有色粒子（以下、粒子ともいう）は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００３６】
さらに、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００３７】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００３８】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００３９】
さらに、表示用有色粒子で構成する粒子群や粉流体等の表示媒体を気中空間で駆動する乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図２（ａ），（ｂ）において、対向する基板１、基板２に挟まれる部分から、電極５、６（電極を基板の内側に設けた場合）、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４０】
本発明方法の実施に用いる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体としての移動に支障をきたし、５％未満の場合にはコントラストが不明確となり易い。
【産業上の利用可能性】
【００４１】
本発明の書込情報記録方法は、情報表示画面にタッチパネルを介した入力で情報を書き込み表示できる情報表示装置や、表示した情報を電源ＯＦＦにした状態でも表示させておくことができる表示メモリ性を有する情報表示装置などに好適に用いられる。
【図面の簡単な説明】
【００４２】
【図１】本発明の書込情報記録方法の実施に用いる情報表示装置の構成を例示する図である。
【図２】（ａ），（ｂ）はそれぞれ、本発明方法の実施に用いる情報表示用パネルの原理的構成を示す図である。
【図３】（ａ）〜（ｃ）は本発明の書込情報記録方法を説明するための図である。
【図４】（ａ），（ｂ）はそれぞれ、本発明の書込情報記録方法に好適に用いることができる情報表示用パネルを例示する図である。
【図５】（ａ），（ｂ）はそれぞれ、本発明の書込情報記録方法に好適に用いることができる情報表示用パネルを例示する図である。
【図６】（ａ），（ｂ）はそれぞれ、本発明の書込情報記録方法に好適に用いることができる情報表示用パネルを例示する図である。
【図７】本発明方法の実施に用いる情報表示用パネルにおける隔壁の形状の一例を示す図である。
【符号の説明】
【００４３】
１  基板（背面側基板）
２  基板（表示面側透明基板）
３  表示媒体（粒子群、粉流体）
３Ｗ  白色表示媒体
３Ｂ  黒色表示媒体
３Ｗａ  表示用白色粒子
３Ｂａ  表示用黒色粒子
４  隔壁
５  電極
６  透明電極
１１  情報表示装置
１２  情報表示用パネル
１３  タッチパネル
１４  黒色板
１５  白色板
【図１】
2007322658.tif 000003
【図２】
2007322658.tif 000004
【図３】
2007322658.tif 000005
【図４】
2007322658.tif 000006
【図５】
2007322658.tif 000007
【図６】
2007322658.tif 000008
【図７】
2007322658.tif 000009